(57)【要約】      （修正有）【課題】グリーンフォークをすばやくスムーズに取り出せるとともに、使用後のグリーンフォークの収納に手間がかからず、また、グリーンフォークに付着した土によってポケットを汚すことがなく、さらには、グリーンフォークの紛失も防ぐことができるグリーンフォークホルダーを提供する。【解決手段】紐状体を巻取りリール５によって自動で巻き取るとともに、巻き取った紐状体につながったグリーンフォーク２を収納する部分と巻取りリール５とを一体に覆うカバー６を設け、さらに、ズボンの上端やベルトへの掛止手段を設けた。【選択図】図１
0003163845.tif 000002
【実用新案登録請求の範囲】
【請求項１】
一端にグリーンフォークを取り付けるための紐状体と、
該紐状体の他端を巻取り可能にとりつけた巻取りリールであって前記紐状体を巻取る力が常に働いている巻取りリールと、
前記紐状体が該巻取りリールに巻き取られた状態において、該巻取りリールと前記紐状体に取り付けられたグリーンフォークとを一体に覆うカバーであってグリーンフォークの出し入れ口を有するカバーと、
該カバーの外側にズボンの上端やベルトへの掛止手段とを有するグリーンフォークホルダー。
【請求項２】
紐状体が巻取りリールに巻き取られた状態において、グリーンフォークの先端をカバーの出し入れ口から外部へつまみ出し可能な長さ突出させた状態となるようにカバーを成形したことを特徴とする請求項１に記載のグリーンフォークホルダー。
【請求項３】
紐状体が巻取りリールに巻き取られた状態において、グリーンフォークを覆うカバーの一方の幅広面側を開放形状とするとともに、該カバーの開放形状ではない幅広面側に前記掛留手段を有する請求項１乃至請求項２のいずれかに記載のグリーンフォークホルダー。
【請求項４】
前記紐状体が、距離計測用目盛を有する請求項１乃至請求項３のいずれかに記載のグリーンフォークホルダー。
【請求項５】
前記紐状体が、金属チェーンからなる請求項１乃至請求項４のいずれかに記載のグリーンフォークホルダー。
【請求項６】
前記掛止手段が、U字クリップである請求項１乃至請求項５のいずれかに記載のグリーンフォークホルダー。
【請求項７】
巻取りリール部分を覆っているカバーの掛止手段を有しない面側に磁力発生手段を設けてなる請求項１乃至請求項６のいずれかに記載のグリーンフォークホルダー。
【請求項８】
前記紐状体にグリーンフォークを取り付けた請求項１乃至請求項７のいずれかに記載のグリーンフォークホルダー。
【考案の詳細な説明】
【技術分野】
【０００１】
本考案は、グリーンフォークを収納及び携帯するためのグリーンフォークホルダーに関するものである。
【背景技術】
【０００２】
グリーンフォークは、ゴルフボールの落下によってできたグリーン上の凹み（ボールマークやピッチマークとも言う）を修整・補修するために用いる道具であり、プレー中は、ティーやマーカーなどと一緒にズボンのポケットに入れて持ち運ばれる。このグリーンフォークは、前述した凹みの修整や補修のため、手に持ってグリーン上の芝に挿して使用するため、土が付着してしまう。ところが、付着した土をよく払うことなくポケットに出し入れすることが多く、ポケットを汚してしまう原因となっている。また、ポケットからグリーンフォークを取り出す際には、その他のゴルフ用具（例えばティ−やマーカーなど）も入っているポケット内からグリーンフォークを手探りで探し出して取り出すので、すばやくスムーズに取り出すことが難しい。さらには、グリーンフォークを単体でポケットに入れておくと、ゴルフプレー中にポケットから落ち、紛失してしまうこともある。
【０００３】
グリーンフォークの出し入れに起因してポケットが汚れてしまうことへの解決手段として、ポケット内へ土が落ちないように、土の付着する部分にカバーを付けたグリーンフォークが考案・開示されている（例えば、特許文献１参照）。この考案によれば、確かにポケット内は汚れないが、グリーンフォークをカバーに差し込む手間やポケットへの出し入れを要するという不便さが残っている。
ポケットへの出し入れを要しないグリーンフォークとしては、グリーンフォーク自体にクリップを設けた考案（特許文献２参照）がある。この考案によれば、ズボンの上端やズボンのバンドに引っ掛けてグリーンフォークを保持・携行できるとしている。しかし、グリーンフォークに付着した土によってズボン等が汚れることに関しては言及しておらず、改良の余地がある。
【先行技術文献】
【特許文献】
【０００４】
【特許文献１】実用新案登録第３１４２５５９号公報
【特許文献２】実用新案登録第３１３０４１５号公報
【考案の概要】
【考案が解決しようとする課題】
【０００５】
本考案によって解決しようとする課題は、グリーンフォークをすばやくスムーズに取り出せるとともに、使用後のグリーンフォークの収納に手間がかからず、また、グリーンフォークに付着した土によってポケットを汚すことがなく、さらには、グリーンフォークの紛失も防ぐことができるグリーンフォークホルダーを提供することである。
【課題を解決するための手段】
【０００６】
請求項1に記載の考案は、紐状体の一端にグリーンフォークを取り付けて使用するグリーンフォークホルダーである。該紐状体の他端は、巻取りリールに巻取り可能に取り付けられる。該巻取りリールには、取り付けた紐状体を巻き込む方向の力が常に働いている。また、前記紐状体が巻取りリールに巻き取られてグリーンフォークが巻取りリールに最近接した状態において、該巻取りリールとグリーンフォークを一体に覆うカバーを有し、該カバーは、紐状体およびグリーンフォークの出し入れ口を有している。さらに、前記カバーの外側には、当該グリーンフォークホルダーをズボンの上端やベルトに掛止るための掛止手段を有している。
【０００７】
また、請求項１に記載のグリーンフォークホルダーは、その掛止手段によって、ズボンの上端やベルトに掛止して使用する。こうすることで、ポケットへの出し入れが不要となりポケットを汚すことがなく、かつグリーンフォークホルダーからグリーンフォークを引き出すだけで良いので、グリーンフォークの用意がすばやくできる。また、グリーンフォークを引き出して使用する時も、グリーンフォークは紐状体によって当該グリーンフォークホルダーと繋がった状態である。
【０００８】
さらに、請求項１に記載のグリーンフォークホルダーが有する巻取りリールには、該巻取りリールに取り付けた紐状体を巻き込む力が常に働いており、グリーンフォークの使用後、グリーンフォークから手を離すだけで、巻取りリールが紐状体を巻取り、紐状体の先に取り付けたグリーンフォークがカバー内に引き込まれる。巻取りリールには、その動力源としてぜんまいばねを用いたものや小型のモーターを用いたものなどがあるが、安価でしかも容易に入手できるぜんまいばねを用いた巻取りリールが望ましい。
またさらに、請求項１に記載のグリーンフォークホルダーが有する紐状体は、巻取りリールに巻取り可能なものであれば良く、その長さは、、腰をおろして手を伸ばしてグリーンフォークを使用する際に、自在にグリーンフォークを動かせるほどの長さが少なくとも必要であり、体の大きさの個人差と若干の余裕分を考慮すれば、１メートル程度が望ましい。
【０００９】
請求項２に記載の考案は、請求項１に記載のグリーンフォークホルダーであって、カバーを、グリーンフォークがカバー内に最も深く引き込まれた状態で、その先端の一部を外部に突出するように形成したものである。突出部分は、指でつまんでグリーンフォークを引き出すことができる程度で良い。
【００１０】
請求項３に記載の考案は、請求項１又は請求項２のいずれかに記載のグリーンフォークホルダーにおいて、カバー内に最も引き込まれた状態のグリーンフォークが外部から見えるように、カバーの少なくとも一部が開放状態となるように形成するとともに、ズボンの上端やベルトへの掛止手段を該開放部分を有する面とは反対側の面に設けたものである。グリーンフォークを最も深くカバー内に引き込んだ状態で、該グリーンフォークの幅広面が見えるように、カバーに開放部分を設ける。
【００１１】
請求項４に記載の考案は、請求項１乃至請求項３のいずれかに記載のグリーンフォークホルダーにおいて、紐状体が距離計測用目盛を有することを特徴とする。この場合の紐状体としては、例えば、長さが測れる目盛をつけた合成樹脂製のものがある。
グリーン上におけるパットの順番としてカップから遠い人から順に打つというルールがあり、紐状体が有する距離計測用目盛は、いずれのプレーヤーのボールがカップに近いかを計測する場合に使用する。
【００１２】
請求項５に記載の考案は、請求項１乃至請求項４のいずれかに記載のグリーンフォークホルダーにおいて、紐状体を金属チェーンとしたことを特徴とする。
【００１３】
請求項６に記載の考案は、請求項１乃至請求項５のいずれかに記載のグリーンフォークホルダーにおいて、掛止手段として∪字クリップを用いたことを特徴とする。
【００１４】
請求項７に記載の考案は、請求項１乃至請求項６のいずれかに記載のグリーンフォークホルダーにおいて、巻取りリール部分を覆っているカバーの掛止手段を有しない面側に磁力発生手段を設けたことを特徴とする。磁力発生手段としては、磁石を埋め込んだり、磁化した金属を取り付けたり、あるいは磁性を帯びる事が可能な物質である磁性体を塗布して磁化しても良い。
【００１５】
請求項８に記載の考案は、請求項１乃至請求項７のいずれかに記載のグリーンフォークホルダーにおいて、紐状体の端にグリーンフォークを取り付けたものである。
【考案の効果】
【００１６】
本考案に係るグリーンフォークホルダーは、グリーンフォークを取り付けて使用する場合、次のような利点がある。
【００１７】
請求項１に記載の考案によれば、ズボンの上端やベルトに掛止して使用することができるので、ポケットにグリーンフォークを出し入れすることは無く、従って出し入れに起因するポケットの汚れは生じない。また、ポケット内を手探りで探す必要もなく、グリーンフォークホルダーからグリーンフォークを引き出すだけで良いので、すばやくグリーンフォークを用意できるという利点もある。さらには、巻取りリールを用いてグリーンフォークをカバー内に引き込む力が常に働く構成としているため、グリーンフォーク使用後、手を離すとグリーンフォークはひとりでにカバー内に引き込まれ、収納に手間がかからず楽である。またさらには、カバー内にグリーンフォークを引き込んでしまうので、ズボン等にグリーンフォークが接することがなく、土による汚れが生じない。加えて、グリーンフォークは常に本考案に係るグリーンフォークと繋がっているので、グリーンフォークの紛失を防止できるという利点も備えている。
【００１８】
請求項２に記載の考案によれば、本考案に係るグリーンフォークホルダーから突出したグリーンフォークの先端を引き出すだけで良いので、グリーンフォークの用意がすばやくスムースにできるという利点がある。
【００１９】
請求項３に記載の考案によれば、カバー内のグリーンフォークが見え、しかも触ることもできるので、カバー内で紐状体がからんでも、すぐに修復できるという利点がある。ズボンの上端やベルトへの掛留手段を設けた側は、カバーによってがあるので、グリーンフォークがズボン等に接することはなく、グリーンフォークに付着した土によってズボン等を汚すことがない。
【００２０】
請求項４に記載の考案によれば、グリーン上でのパッティングの際に、いずれのプレーヤーのボールがカップに近いか微妙なときに、距離が測れるという利点がある。
【００２１】
請求項５に記載の考案によれば、紐状体を金属チェーンとしたので、グリーンフォークを引き出して使用することを相当回数繰り返しても、紐状体が切れて壊れることが少なく、耐久性を有している。
【００２２】
請求項６に記載の考案は、掛留手段を簡易な構造としたので、製造が容易であるという利点がある。
【００２３】
請求項７に記載の考案によれば、金属製のボールマーカーを磁力発生手段が生ずる磁力によって本体に保持させることができるので、ボールマーカーの紛失を防ぐとともに、使用するたびにボールマーカーをポケット内から取り出す手間を省くことができるという利点がある。
【図面の簡単な説明】
【００２４】
【図１】図１は本考案に係るグリーンフォークホルダーを示した説明図である。
【図２】図２はグリーンフォークを引き出した状態の説明図である。
【図３】図３はグリーンフォークを引き込んだ状態の説明図である。
【図４】図４は∪字クリップの状態を表した説明図である。
【図５】図５は図３のグリーンフォークホルダーを逆側から見た状態の説明図である。
【図６】図６はカバーにボールマーカーを取り付けた状態を表わす説明図である。
【図７】図７は磁石の埋め込み状態を表わす断面説明図である。
【考案を実施するための形態】
【実施例】
【００２５】
図１に示すのが、本考案に係るグリーンフォークホルダーである。なお、本考案に係るグリーンフォークホルダーは、この実施例に限定されるものではない。
【００２６】
グリーンフォーク２の二股に割れていない部分に穴を開け、リング３を介して金属チェーン４を取り付ける（図２参照）。金属チェーン３の他端は、巻取りリール５に取り付けられる。巻取りリール５の内部構造についての詳細は省略するが、ぜんまいバネの復元力を利用した構造のものを使用した。巻取りリール５は、ぜんまいばねにより、金属チェーン４を巻き取る力が常に作用している。
金属チェーン４には、距離計測用の目盛として一定間隔にマーキングしたり、あるいは刻みを入れたりしても良い。
【００２７】
巻取りリール５と引き込まれた状態のグリーンフォーク２とを一体に覆うカバー６は、グリーンフォーク１の一方の平面側が外部から見えるように開放状態に成形する（図１および図３参照）。このカバーの開放部８があることで、引き込まれた状態のグリーンフォーク２が外から見え、金属チェーン５がからんんでしまうなどの不具合が生じた際は、修復が楽にできる。また、カバー６は、引き込まれた状態のグリーンフォーク２の二股側の先端を指でつまみ出せる程度突出させた状態となるように形成する（図３及び図５参照）。
カバー６の開放側とは逆の面に、∪字クリップ７を取り付ける（図５参照）。この∪字クリップ７により、本体をズボンの上端やベルトに引っ掛けて止める。こうすることで、ズボンあるいはベルトにはカバーで覆われた面が接するので、グリーンフォーク１に付着した土による汚れがつかない。
【００２８】
図１乃至図３に見て取れるカバー開放部８は、グリーンフォークの出し入れ口９を含む形で開放状態になっているが、グリーンフォーク出し入れ口９部分は、断面ロの字型にしても良い。また、この開放部８を有しないグリーンフォークホルダーも考えられ（図６参照）、カバー６が全体を覆うとともに、グリーンフォークの出し入れ口９を設けた構造としても良い。この場合、掛止手段としての∪字クリップは、両幅広面のいずれの面に取り付けても良い（図５参照）。なお、グリーンフォークの出し入れ口９は、グリーンフォーク２が通る広さを有する。
【００２９】
ボールマーカー１０は、カバー６における∪字クリップ７を有しない面側に埋め込んだ磁石１１の磁力によって保持される（図６参照）。カバー６の形成時に磁石１１を埋め込む凹部を設け、磁石１１の表面が、カバー６の表面と同一平面となるように該凹部に磁石１１を埋め込んだ（図７参照）。
【産業上の利用可能性】
【００３０】
グリーンフォークだけでなく、ゴルフに使用するその他の小具（ティー等）についても、本考案を応用したホルダーが製造可能である。
【符号の説明】
【００３１】
１    グリーンフォークホルダー
２    グリーンフォーク
３    リング
４    金属チェーン
５    巻取りリール
６    カバー
７    ∪字クリップ
８    カバーの開放部分
９    出し入れ口
１０    ボールマーカー
１１    磁石
【図１】
0003163845.tif 000003
【図２】
0003163845.tif 000004
【図３】
0003163845.tif 000005
【図４】
0003163845.tif 000006
【図５】
0003163845.tif 000007
【図６】
0003163845.tif 000008
【図７】
0003163845.tif 000009